(57)【要約】【課題】  より合理的に構成された振り子装置を得ること。【解決手段】  振り子１００と、振り子を揺動可能に支持したプレート状の支持体２００と、振り子を揺動する振り子駆動手段３００とを備えた振り子装置において、振り子は、その支点よりも上の部位に重り１１３を設けてなるものであり、振り子の支点よりも上の部位の揺動域は、支持体の正面から見て支持体の輪郭内部に含まれるようにした。当該振り子装置は、時計の装飾に用いられるものであり、支持体には、時計の指針を駆動するムーブメント４００を設けた。【選択図】図１
2008111812.tif 000002
【特許請求の範囲】
【請求項１】
振り子と、前記振り子を揺動可能に支持したプレート状の支持体と、前記振り子を揺動する振り子駆動手段とを備えた振り子装置において、
前記振り子は、その支点よりも上の部位に重りを設けてなるものであり、
前記振り子の支点よりも上の部位の揺動域は、前記支持体の正面から見て前記支持体の輪郭内部に含まれるようにしたことを特徴とする振り子装置。
【請求項２】
当該振り子装置は、時計の装飾に用いられるものであり、
前記支持体には、前記時計の指針を駆動するムーブメントを設けたことを特徴とする請求項１記載の振り子装置。
【発明の詳細な説明】
【技術分野】
【０００１】
本発明は、時計の装飾等に利用される振り子装置に関する。
【背景技術】
【０００２】
壁掛け時計や置き時計としては、装飾用の振り子装置を備えたものが知られている。振り子装置は、磁石を設けた振り子を支持体に支持するとともに、磁石に作用する振り子駆動手段を振り子の外部に配置して構成されている。この種の振り子装置は、特許文献１にも開示されている。特許文献１に開示された振り子装置は、複数の部材を組付けてなる振り子を用いてなるものであり、組付け部材の上下位置を反転させることにより、周期の設定の自由度を高めることができるものとなっている。
【特許文献１】特開２００５−１４０５４３号公報
【発明の開示】
【発明が解決しようとする課題】
【０００３】
さて近年、時計のデザインはますます多様化される傾向にあり、前述した振り子装置についても、装飾性に優れるとともに、汎用性及び組立て性を向上してなるものが望まれている。本発明は、かかる事情に鑑みてなされたものであり、その目的は、より合理的に構成された振り子装置を提供することである。
【課題を解決するための手段】
【０００４】
本願第１請求項に記載した発明は、振り子と、前記振り子を揺動可能に支持したプレート状の支持体と、前記振り子を揺動する振り子駆動手段とを備えた振り子装置において、前記振り子は、その支点よりも上の部位に重りを設けてなるものであり、前記振り子の支点よりも上の部位の揺動域は、前記支持体の正面から見て前記支持体の輪郭内部に含まれるようにした構成の振り子装置である。
【０００５】
本願第２請求項に記載した発明は、請求項１において、当該振り子装置は、時計の装飾に用いられるものであり、前記支持体には、前記時計の指針を駆動するムーブメントを設けた構成の振り子装置である。
【発明の効果】
【０００６】
本発明によれば、より合理的に構成された振り子装置を得ることができる。
【発明を実施するための最良の形態】
【０００７】
以下に、本発明の実施例を図面に基づいて詳細に説明する。図１乃至図１１に示す本例の振り子装置１は、時計の筐体内部に組込まれ、その時計を装飾するものである。この振り子装置１は、振り子１００と、振り子１００を揺動可能に支持したプレート状の支持体２００と、振り子を揺動する振り子駆動手段３００とを備えている。時計の筐体に対しては、支持体２００を装着するする構成となっている。また、支持体２００には、時計の指針を駆動するムーブメント４００が設けられている。
【０００８】
振り子１００は、支持体２００に設けられたナイフエッジ状の軸部２１０に支持されて、この軸部２１０を支点として揺動する。振り子駆動手段３００は、磁気的作用にて振り子１００を揺動するものであり、支持体２００の要所に設けられている。具体的には、振り子１００に設けられた磁石１１１がその近傍を通過する際に検出コイルに誘起電圧を発生し、検出コイルに誘起電圧が発生すると駆動コイルに電流が流れ、駆動コイルが磁石１１１を反発することにより振り子１００を加勢する構成となっている。
【０００９】
この振り子１００は、支持体２００に支持される第１振り子部材１１０と、第１振り子部材１１０の下部に連結される第２振り子部材１２０とを組付けてなるものである。第１振り子部材１１０及び第２振り子部材１２０は、金型成形された合成樹脂製の部材からなるものである。第１振り子部材１１０には、前述した磁石１１１と、軸部２１０を挿通する孔部１１２と、所定の重量の重り１１３が設けられている。また、この第１振り子部材１１０の要所には、ムーブメント４００の針合わせ４１０との干渉を回避するための湾曲部１１０ａが設けられている。第２振り子部材１２０には、振り玉１２１が設けられている。時計の筐体は、窓部や透明板等を介して第２振り子部材１２０を外部に露呈するものとする。
【００１０】
また、本例の振り子１００は、その支点となる軸部２１０よりも上の部位に磁石１１１及び重り１１３を設けてなるものである。振り子１００の揺動周期は、支点よりも上の部位の重量に応じて遅くなる。すなわち、ゆったりとした優雅な動きを醸し出す構成となっている。
【００１１】
次に、第１振り子部材１１０と第２振り子部材１２０とを連結する機構について説明する。本例の場合、第１振り子部材１１０及び第２振り子部材１２０の一方にはフック部１２２を設けるとともに、それらの他方にはフック部１２２を係止する係止部１１４を設けている。図例の振り子１００は、フック部１２２を第２振り子部材１２０の上部に設け、係止部１１４を第１振り子部材１１０の下部に設けたものである。係止部１１４には、フック部１２２の幅に対応する径を上から下に向って減少するテーパーが設けられており、フック部１２２は、テーパーに導かれて所定の位置に係止される構成となっている。尚、フック部１２２を第１振り子部材１１０の下部に設け、係止部１１４を第２振り子部材１２０の上部に設けることも可能である。第２振り子部材１２０は、フック部１２２を係止部１１４に係止することにより、第１振り子部材１１０に吊り下げられた状態となる。
【００１２】
更に本例の場合、第１振り子部材１１０には、第２振り子部材１２０を挟む一対の突片１１５が設けられている。一対の突片１１５は、第２振り子部材１２０の上部近傍を振り子１００の揺動方向に挟むものとなっている。第２振り子部材１２０は、フック部１２２を係止部１１４に係止するとともに、一対の突片１１５の間に圧入するものとなっている。かかる一対の突片１１５は、第１振り子部材１１０の金型成形において一体成形された部位であり、弾性変形して第２振り子部材に圧接する。
【００１３】
このように、一対の突片１１５が弾性変形して第２振り子部材１２０に圧接するので、第１振り子部材１１０に対する第２振り子部材１２０の位置が振り子１００の揺動方向に移動することはない。従って、振り子１００の揺動が確実に安定化する。
【００１４】
また、本例においては、第２振り子部材１２０の質量をｍとし、フック部１２２と係止部１１４との当接部から第２振り子部材１２０の重心までの距離をｒとし、第２振り子に対する突片１１５の荷重によるモーメントをＭとするとき、これらは、ｍｒ＜Ｍ
の関係が成り立つように設定している。ｍｒは、すなわち第１振り子部材１１０に対する第２振り子部材１２０のモーメントである。第２振り子部材１２０がグラグラと動かないように固定するには、突片１１５の荷重によるモーメントＭが第２振り子部材１２０のモーメントよりも大きいことが望ましく、ｍｒ＜Ｍ
の関係によれば、第１振り子部材１１０に対し第２振り子部材１２０が堅固に固定され、振り子１００の揺動が一層安定化する訳である。
【００１５】
次に、本例における振り子１００と支持体２００との関係について説明する。本例の場合、振り子１００は、その支点となる軸部２１０よりも上の部位に重りを設けてなるものであるとともに、振り子１００の支点よりも上の部位の揺動域は、図６に示すように、支持体２００の正面から見て支持体２００の輪郭内部に含まれる構成となっている。図６中の破線は、支持体２００の輪郭を示している。図６中の２点鎖線は、振り幅が最大のときの振り子１００の位置を示している。このような構成によると、振り子装置１のユニットとしての汎用性及び組立て性が向上するという利点がある。以下に、その考え方を説明する。
【００１６】
振り子装置１を時計の筐体内部に組込む場合は、筐体内部に振り子１００の揺動スペースを確保する必要がある。この点、振り子１００の支点よりも上の部位の揺動域が、支持体２００の正面から見て支持体２００の輪郭内部に含まれる構成によると、時計の設計や、筐体に対する振り子装置１の組込み時において、支持体２００が、かかる部位の揺動スペースを確保するための目安になるという利点がある。
【００１７】
振り子１００の支点よりも上の部位によると、振り子１００の揺動周期は遅くなるものの、振り子１００としては大型化する。そして、設計や組込みの段階においては、かかる部位の揺動スペースを考慮しつつ作業しなければならず、これが作業の複雑化を招く原因となる。これに対し、本例によると、支持体２００の設置位置を定め、それに合わせて所要の揺動スペースを確保すればよいので、その作業は比較的容易なものとなる。具体的には、時計の筐体の内部には、回路基板や、電池ボックスや、標準時刻電波受信用アンテナ等の構成部材が収納される。振り子１００の支点よりも上の部位の揺動スペースは、これらの構成部材と支持体２００との間に所定の間隔を設定することにより、確保することが可能である。すなわち、振り子１００の揺動域を確認しつつ作業を行う必要がないので、作業効率を確実に向上することが可能となる。つまり、本例の振り子装置１は、各種時計に利用するユニットとしての汎用性に優れたものとなっている。
【００１８】
次に、重り１１３及びこれを装着する重り装着部１１６について説明する。本例の振り子１００は、その支点となる軸部２１０よりも上の部位に、重り装着部１１６を設けてなるものである。この重り装着部１１６は、第１振り子部材１１０の要所に設けられている。
【００１９】
また、この振り子装置１は、重り装着部１１６に装着する重り１１３の重量を変えることにより、振り子１００の揺動周期が変えられるものとなっている。更に、重り１１３は、重り装着部１１６の所定位置に対し対称的に設けられるものとして、重り装着部１１６に装着する重り１１３の重さが異なっても、振り子１００全体の重心の位置がずれることがないように構成されている。
【００２０】
本例の場合、磁石１１１及び重り１１３を含めた振り子１００全体の重心は、軸部２１０の前後方向中心に位置するように設定されている。振り子１００の揺動を安定化させるためである。この振り子１００全体の重心が、装着する重り１１３の重さにより移動すると、振り子１００の揺動が不安定になる場合が考えられるが、本例によると、そのような不都合を回避することができる。
【００２１】
図７及び図８に示すように、本例の重り１１３は、底面を前後方向に向けた円筒形状を呈するものであり、重り装着部１１６は、これを嵌装する円筒形状の内周面を有する形状となっている。また、重り装着部１１６には、その前後方向の一方から他方に向って突出したボス１１６ａが設けられており、重り１１３は、このボス１１６ａを前後双方からそれぞれ挿入可能とする形状となっている。重り１１３の内部中央には、ボス１１６ａの頂部と当接する壁部１１３ａが設けられており、重り１１３は、壁部１１３ａをボス１１６ａにねじ止めして固定される。ボス１１６ａには雄ねじ部品１１６ｂを螺合する雌ねじ部が設けられており、重り１１３の壁部１１３ａには雄ねじ部品１１６ｂを挿通する通孔１１３ｂが設けられている。重り１１３は、このようにねじ止めされた状態において、重り装着部１１６の所定位置に対し前後方向に対称的に設けられている。尚、雄ねじ部品１１６ｂとしてタッピンねじを用いる場合は、ボス１１６ａの雌ねじ部の成形は省略することができる。
【００２２】
図９及び図１０に示すように、重り装着部１１６に装着する重り１１３の重さは、重り１１３の前後方向の寸法を変えることにより調整される。振り子１００の揺動周期は、例えば、図７に示すもののは２．０秒、図９に示すものは１．７秒、図１０に示すものは１．３秒となっている。およそ２．０〜１．２秒の範囲で設定可能である。このような構成によると、振り子１００の揺動周期の調整を可能としつつ、その振り子１００の安定した揺動を確保することができる。
【００２３】
以上説明したように、本例の振り子装置は、ユニットとしてより合理的に構成してなるものであり、時計を装飾する装置として好適に利用することが可能である。尚、本例における各部の構成は、特許請求の範囲に記載した技術的範囲において適宜に設計変更が可能であり、図例したものに限定されないことは勿論である。
【００２４】
例えば、重り１１３及び重り装着部１１６については、図１１及び図１２に示すような構成も可能である。これらの図に示す重り装着部１１６は、その前後方向の中央に壁部１１６ｄを設けてなるものであり、重り１１３は、その壁部１１６ｄを前後から挟むように同型のものを装着する構成となっている。各重り１１３及び壁部１１６ｄには、雄ねじ部品１１６ｂを挿通する通孔１１３ｂ，１１６ｅが設けられており、各重り１１３は、これらの通孔１１３ｂ，１１６ｅに挿通した雄ねじ部品１１６ｂに雌ねじ部品１１６ｃを螺合することにより固定される。図１３に示すように、重り装着部１１６に装着する重り１１３の重さは、重り１１３の前後方向の寸法を変えることにより調整される。
【産業上の利用可能性】
【００２５】
本発明の振り子装置は、置き時計や壁掛け時計を装飾するものとして好適に利用することができる。
【図面の簡単な説明】
【００２６】
【図１】本発明の実施例に係り、振り子装置を示す透視正面図である。
【図２】本発明の実施例に係り、振り子装置を示す透視側面図である。
【図３】本発明の実施例に係り、振り子を示す透視正面図である。
【図４】本発明の実施例に係り、振り子を示す透視側面図である。
【図５】本発明の実施例に係り、（ａ）は振り子の要部を示す透視正面図であり、（ｂ）は振り子の要部を示す透視側面図である。
【図６】本発明の実施例に係り、振り子の揺動を示す説明図である。
【図７】本発明の実施例に係り、振り子の要部を示す側面断面図である。
【図８】本発明の実施例に係り、重りの説明図であり、（ａ）は重りを示す正面図、（ｂ）は側面図、（ｃ）は側面断面図である。
【図９】本発明の実施例に係り、振り子の要部を示す側面断面図である。
【図１０】本発明の実施例に係り、振り子の要部を示す側面断面図である。
【図１１】本発明の実施例に係り、振り子の要部を示す側面断面図である。
【図１２】本発明の実施例に係り、重りの説明図であり、（ａ）は重りを示す正面図（ｂ）は側面図、（ｃ）は側面断面図である。
【図１３】本発明の実施例に係り、振り子の要部を示す側面断面図である。
【符号の説明】
【００２７】
１    振り子装置
１００    振り子
１１０    第１振り子部材
１１０ａ    湾曲部
１１１    磁石
１１２    孔部
１１３    重り
１１３ａ    壁部
１１３ｂ    通孔
１１４    係止部
１１５    突片
１１６    重り装着部
１１６ａ    ボス
１１６ｂ    雄ねじ部品
１１６ｃ    雌ねじ部品
１１６ｄ    壁部
１１６ｅ    通孔
１２０    第２振り子部材
１２１    振り玉
１２２    フック部
２００    支持体
２１０    軸部
３００    振り子駆動手段
４００    ムーブメント
４１０    針合わせ
【図１】
2008111812.tif 000003
【図２】
2008111812.tif 000004
【図３】
2008111812.tif 000005
【図４】
2008111812.tif 000006
【図５】
2008111812.tif 000007
【図６】
2008111812.tif 000008
【図７】
2008111812.tif 000009
【図８】
2008111812.tif 000010
【図９】
2008111812.tif 000011
【図１０】
2008111812.tif 000012
【図１１】
2008111812.tif 000013
【図１２】
2008111812.tif 000014
【図１３】
2008111812.tif 000015